(57)【要約】【課題】透明円筒型オブジェクトを有する万華鏡においては多角ミラー中空筒体の視野が円筒型オブジェクトの一部に限定されるため視野の外にあるオブジェクト片はオブジェクトケースを回転させても視野に入ってくる可能性は少ない。このため映像に現れるオブジェクト片は限定され映し出される映像も変化に乏しいものであった。【解決手段】万華鏡ミラーの視野とオブジェクトケースの位置が一点に固定されないようにオブジェクトケースを円筒の方向に沿って自動的に左右に移動しながら回転させるような構造とし、左右に移動する速度と回転速度を一定の関係として、視野の外側に存在するオブジェクト片も回転と左右移動のタイミングで次々と視野の内外を移動する。このオブジェクト回転方式によって変化の大きい万華鏡映像が楽しめるようになった。【選択図】図５
2010128485.tif 000002
【特許請求の範囲】
【請求項１】
万華鏡の透明円筒の中に多彩なオブジェクト片を封入したタイプの回転式オブジェクト方式をもつ万華鏡において、万華鏡ミラーの視野とオブジェクトケースの位置が一点に固定されないようにオブジェクトケースを円筒軸方向に沿って左右に移動しながら回転させて大きな映像の変化をさせる構造を持つ万華鏡。
【請求項２】
請求項１の構造を持つ万華鏡において、透明円筒の回転と円筒を左右に移動させる動力源を単一モーターで駆動させる構造を持つ万華鏡。
【請求項３】
万華鏡の透明円筒の中に多彩なオブジェクト片を封入したタイプの回転式オブジェクト方式をもつ万華鏡において、万華鏡ミラーの視野とオブジェクトケースの位置が一点に固定し、その中心でオブジェクトの透明円筒を回転させながらオブジェクトケースを水平状態から左右に角度を変化させ、透明円筒の中のオブジェクト片を透明円筒内での左右に移動させることで大きな映像の変化させる構造を持つ万華鏡。
【請求項４】
請求項３の構造を持つ万華鏡オブジェクトにおいてオブジェクトの回転と傾きを単一モーターで駆動させる構造を持つ万華鏡
【請求項５】
請求項１〜４の構造を持つ投影式万華鏡
【発明の詳細な説明】
【技術分野】
【０００１】      透明円筒型オブジェクトを有する万華鏡に関する。
【背景技術】
【０００２】    透明円筒型オブジェクトを有する万華鏡は透明円筒のオブジェクトケース内部にさまざまな形状の色ガラス片などでできたオブジェクト片を入れて、そのオブジェクトを多面ミラー中空筒体の中で多重反射させた映像をアイホールから覗いて楽しむものである。また、投影式万華鏡においても透明円筒型オブジェクトに強い光を当てその透過光を多角ミラー中空筒体の中で多重反射させ離れたスクリーンに結像レンズを通して映像を投影することができる。投影式万華鏡は多くの人が同時に万華鏡映像を楽しむことができる特徴がある
実願２００６−０１０７５３キューブ万華鏡
特願２００７−２８５５４６投影式万華鏡
【発明の開示】
【発明が解決しようとする課題】
【０００３】    万華鏡はオブジェクトケースの内部に入っているさまざまな形状の色ガラス片でできたオブジェクトを多面ミラー中空筒体の中で多重反射させた映像をオブジェクトと反対側のアイホールから見て楽しむものであるが多角ミラー中空筒体の視野に入るオブジェクト片の種類が多ければ多いほど映像が変化して美しい万華鏡となる。しかし、透明円筒型オブジェクトを有する万華鏡においては多角ミラー中空筒体の視野が円筒型オブジェクトの視野内に限定されるため視野の外にあるオブジェクト片はオブジェクトケースを回転させても視野に入ってくる可能性は少ない。このため映像に現れるオブジェクト片は限定され映し出される映像も変化に乏しいものになる。本発明によりオブジェクトケースの中にあるが多角ミラー中空筒体の視野の外にあるオブジェクト片も視野の中に取り入れることができるようになり、変化が大きくて美しい映像を楽しむことのできる万華鏡が実現した。【０００４】本発明は通常の透明円筒型オブジェクトを有する万華鏡だけではなく、透明円筒型オブジェクトを有する投影式万華鏡においても有効な方法であり、多くの人が同時に多彩に変化する万華鏡映像を楽しむことができる投影式万華鏡が実現した。
【課題を解決するための手段】
【０００５】    万華鏡はオブジェクトケースの内部に入っているさまざまな形状の色ガラス片でできたオブジェクトを多面ミラー中空筒体の中で多重反射させた映像をオブジェクトと反対側のアイホールから見て楽しむものであるが多角ミラー中空筒体の視野に入るオブジェクト片の種類が多ければ多いほど映像が変化して美しい万華鏡となる。しかし、透明円筒型オブジェクトを有する万華鏡においては多角ミラー中空筒体の視野が円筒型オブジェクトの一部に限定されるため視野の外にあるオブジェクト片はオブジェクトケースを回転させても視野に入ってくる可能性は少ない。このため映像に現れるオブジェクト片は限定され映し出される映像も変化に乏しいものになる。【０００６】課題の解決としては視野の外にあるオブジェクト片をオブジェクトケースを自動的にスライドさせて視野の中に取り入れる方式とオブジェクトケースを回転しながら多角ミラー中空筒体の中心を軸としてオブジェクトケースの両端を上下させオブジェクト片がオブジェクトケース内を移動することで視野の中に入れ、万華鏡映像に反映させて、変化の大きい万華鏡映像が実現した。
【発明の効果】
【０００７】  本発明により今まで見ていたオブジェクト片と交代にオブジェクトの一方向回転のみでは現れなかった多角ミラー中空筒体の視野の外にあるオブジェト片が次々と現れ万華鏡映像の中に新しいオブジェクトが取り込まれて、美しい変化に富んだ万華鏡映像を見ることができるようになった。また、普通に覗く万華鏡と同様に投影万華鏡映像においても実現でき、変化のあるダイナミックな万華鏡映像を同時に複数の人が楽しむことができるようになった。
【発明を実施するための最良の形態】
【０００８】「図１」は透明円筒タイプ回転式オブジェクト万華鏡の原理図であるが、多角ミラー中空筒体の視野が６に示すようにオブジェクトの一部に限定され、オブジェクトケースを回転矢印の方向にいくら回転させても視野の外側にあるオブジェクト片は視野の中に入ってくる可能性は少ない。折角、多彩なオブジェクト片をオブジェクトケースに入れながら視野に入ってくることがないのでは変化に富んだ万華鏡映像は見ることができない。【０００９】「図２」は万華鏡ミラーの視野とオブジェクトケースの位置が一点に固定されないようにオブジェクトケースを円筒の方向に沿って自動的に左右に移動しながら回転させるような構造とした。左右に移動する速度と回転速度を一定の関係として、視野の外側に存在するオブジェクト片も回転と左右移動のタイミングで次々と視野の内外を移動する。このオブジェクト回転方式によって変化の大きい万華鏡映像が楽しめるようになった。【００１０】「図３」は万華鏡ミラーの視野とオブジェクトケースの位置が一点に固定されていても透明円筒を回転させながらオブジェクトケース両端を水平状態から（９）に示すように上下に角度を変化させて、透明円筒の中のオブジェクト片が透明円筒内を移動し、移動したオブジェクト片を多角ミラー中空筒体の視野の中に入れて、映像の変化を見ることができる構造とした万華鏡である。
【実施例】
【００１１】普通の万華鏡のようにアイホールから覗いてみる万華鏡でも実現できるが、投影式万華鏡においても有効な方法と言える。投影式万華鏡における実施例を説明する。【００１２】「図４」は透明円筒タイプのモーターによる自動回転式オブジェクト投影式万華鏡の構成図である。光源（１１）にはハイパワーのＬＥＤ発光ダイオードまたはハロゲンランプなどの高輝度光源を用いている。光源の光を集光レンズ（１２）で収束して光の斑をなくすために拡散板（１３）を通して透明円筒オブジェクトに入射させる。光はオブジェクト片を透過して多彩な色や形を映して多角ミラー中空筒体（４）に入射し、ミラー内で多重反射した万華鏡映像が結像レンズ（２２）によりスクリーン（２３）に映し出される。オブジェクトの回転はモーター制御部（１８）で回転制御されたモーター（１４）からピニオンギア（１５）とスーパーギア（１６）で減速されてオブジェクト回転に結合している。図４の方式ではミラーの光軸とオブジェクトは一点で固定されており、多角ミラー中空筒体の視野には一定のオブジェクト片だけが繰り返し巡ってくることになる。したがって変化の大きい見ている人を感動させる美しい映像が作りにくい欠点があった。【００１３】「図５」は透明円筒タイプの万華鏡オブジェクトを横にスライド（２４）させる方式で多角ミラー中空筒体の視野により多くの種類のオブジェクト片を登場させることを実現した事例である。モーター（１４）の回転はオピニオンギア（１５）からスーパーギア（１６）で減速されてオブジェクトに伝達される。同時にクラウンギア（１９）が回転してクラウンギアの軸に直結しているカム（２０）が同時回転をする。カムのロッドによってカム軸受け（２１）が直線運動（２４）をしてオブジェクトケースが左右に移動する。この移動によってオブジェクト片が多角ミラー中空筒体の視野の内外を行き来して、万華鏡映像が多彩に変化する。
【産業上の利用可能性】
【００１４】透明円筒タイプのオブジェクト構造の万華鏡はその映像が単調になることが多く、特に据え置き型や壁などに固定するタイプでは変化の大きい映像が作りにくかった。本発明によりその欠点も解消でき、特に投影式万華鏡では有効な手段となる。
投影式万華鏡は複数の人が同時に同じ映像を楽しむことができるので、一人で覗いてみる万華鏡では不可能であった人の集まる美術館、駅や商店街で万華鏡映像の鑑賞が可能になった。
【図面の簡単な説明】
【００１５】
【図１】    透明円筒タイプ回転式オブジェクト万華鏡の原理図
【図２】    透明円筒タイプ回転式オブジェクト万華鏡のブジェクトケースを左右に動かした場合の原理図
【図３】    透明円筒タイプ回転式オブジェクト万華鏡のオブジェクトケースの両端を上下に動かした場合の原理図
【図４】    透明円筒タイプ回転オブジェクト方式モーター駆動投影万華鏡の実施例
【図５】    透明円筒タイプ回転オブジェクト方式モータ駆動投影万華鏡にオブジェクトケースを同一モーターで左右に動かした場合の実施例
【符号の説明】
【００１６】１    透明円筒オブジェクトケース
２    オブジェクト片
３    万華鏡ミラー筒
４    多角ミラー中空筒体
５    アイホール
６    ミラー視野
７    オブジェクト片
８    左右へ移動
９    上下へ移動
１０  結像レンズ
１１  光源
１２  集光レンズ
１３  拡散板
１４  モーター
１５  ピニオンギア
１６  スーパーギア
１７  光源制御部
１８  モーター制御部
１９  クラウンギア
２０  カム
２１  カム軸受け
２２  結像レンズ
２３  スクリーン
【図１】
2010128485.tif 000003
【図２】
2010128485.tif 000004
【図３】
2010128485.tif 000005
【図４】
2010128485.tif 000006
【図５】
2010128485.tif 000007